(57)【要約】【課題】  自発光形の情報表示が可能な平板型蛍光ランプを提供する。【解決手段】  平板状をした透光性を有する放電容器の内面に、少なくとも片方の電極が誘電体で覆われた電極が形成され、さらに電極間に、文字情報、図形などの情報を表示できるように蛍光体が塗布されるように構成する。【選択図】  図１
2005116418.tif 000002
【特許請求の範囲】
【請求項１】
平板状の放電空間を有する放電容器と、放電容器内面の少なくとも片方の電極が誘電体に覆われた一対の電極と、放電容器内面に蛍光体が塗布され、放電空間内に放電用ガスが封入された平板型蛍光ランプにおいて、
上記蛍光体が、文字、図形などの情報を表示できるように塗布されていることを特徴とする平板型蛍光ランプ。
【請求項２】
請求項１の平板型蛍光ランプにおいて、
放電電極として複数対の電極を有し、１対または複数対を適宜選択して点灯することにより、それぞれ別の情報が表示されるように構成されていることを特徴とする平板型蛍光ランプ。
【請求項３】
請求項１または２の平板型蛍光ランプにおいて、
放電用ガスがＸｅまたはＸｅを含む２種以上の希ガスの混合ガスであることを特徴とする平板型蛍光ランプ。
【請求項４】
請求項１または２の平板型蛍光ランプにおいて、
放電用ガスがＨｇと希ガスとの混合物であることを特徴とする平板型蛍光ランプ。
【発明の詳細な説明】
【技術分野】
【０００１】
本発明は平面状に発光する蛍光ランプに関するものである。特に、それ自身で各種情報の表示に適したランプに関するものである。
【背景技術】
【０００２】
従来の平板型蛍光ランプとしては、例えば特許文献１に記載されている。従来の平板型蛍光ランプは図３で示されているように、断面が扁平状の放電空間１０８を有し、内面に蛍光体１０７が塗布された密閉容器１０１で構成され、上記密閉容器１０１内に表面が誘電体１０６で覆われている一対の放電電極１０４、１０５が放電空間の両端付近に設けられている。放電空間にはキセノンとアルゴンの混合ガスが封入されている。上記電極間に高周波電圧を印加することにより放電空間内に平面状の希ガス放電が発生し、この放電により発生する紫外線により蛍光体が励起されて可視光が発光し外部に放射される。従来の平板型蛍光ランプでは、照明用であるか、液晶表示装置のバックライト用などとして、発光面全体が均一に白色に発光するランプであった。
また、従来の広告用の看板や、避難誘導灯などとして金属板等に文字や図形、絵等を描画したものがあるが、屋内や夜間においては照明が必要で、このため、蛍光ランプ等を看板の前方に別途設置する必要がある。さらに、広告用看板などの別の形態においては、その情報の表示のために、透光性のプラスチック容器の表面に文字や図形、絵等を描画し、プラスチック容器内に円筒管状の蛍光ランプを設置して内側から照明し、昼夜にかかわらず各種情報の表示を行うものもある。
【０００３】
【特許文献１】特開２００２−２５１９８２号公報
【発明の開示】
【発明が解決しようとする課題】
【０００４】
従来の広告用の看板や避難誘導灯においては、屋内や夜間の照明用に別途照明用ランプが必要で、複雑な構成となり、形状も大きく、広い設置空間が必要となる。本発明は、上記の照明用平板型蛍光ランプを情報表示用に最適化し、薄形、自発光形で情報表示能力の優れた平板型蛍光ランプを提供しようとするものである。
【課題を解決するための手段】
【０００５】
上記課題を解決するために、平板状の放電空間を有する放電容器と、放電容器内面の少なくとも片方の電極が誘電体に覆われた一対の電極と、放電容器内面に蛍光体が塗布され、放電空間内に放電用ガスが封入された平板型蛍光ランプにおいて、上記蛍光体が、文字、図形などの情報を表示できるように塗布されているように構成する。
【０００６】
さらに本発明では、放電電極として複数対の電極を有し、１対または複数対を適宜選択して点灯することにより、それぞれ別の情報が表示されるように構成されているように構成する。
【０００７】
さらに放電用ガスがＸｅまたはＸｅを含む２種以上の希ガスの混合ガスであるように構成する。
【０００８】
さらに放電用ガスがＨｇと希ガスとの混合物であるように構成する。
【発明の効果】
【０００９】
本発明によれば、表示能力の優れた情報表示装置を提供することができる。また、厚さ数ｍｍ程度と非常に薄形で、装飾的にも優れ、狭い設置空間しか必要としなくなる。さらに、複数の情報を一つのランプのみで表示できるようになる。
【実施例１】
【００１０】
つぎに本発明の実施の形態を、図面を用いて詳細に説明する。図１は本発明による平板型蛍光ランプの一実施例を示す図であり、（ａ）は一部切欠き斜視図、（ｂ）は正面より見た図である。１は板ガラス状の前面板、２は薄皿状の背面板で、ともにソーダガラスでできている。前面板１、背面板２は封着ガラス(図示せず)で封着され密閉構造となっている。３および４は電極であり、前面板１の内面に平行に印刷されている。さらに電極３、４の放電空間に接する部分では、その上に誘電体膜５が厚膜印刷されて、電極を覆っている。前面板１の内面には蛍光体７で、文字列、図形などの表示しようとする情報が塗布されている。７’は切欠き部での蛍光体７の断面である。前面板１は板ガラスでできているので、蛍光体７は厚膜印刷を用いて、複雑な図形、絵等でも簡単に印刷できる。背面板２の上に蛍光体８が塗布されている。ここで蛍光体７と蛍光体８は異なる発光色をしている。容器内にはＸｅ，Ｎｅ，Ａｒの混合ガスが封入されている。図１の平板型蛍光ランプの動作は次の様になる。電極３と、電極４との間に、高周波矩形波電圧が印加され、放電容器全体に平面状の放電が発生する。放電中でＸｅより発光した紫外光は蛍光体７および８に到達し、可視光に変換され前面に放射する。この時、前面板１の内面で蛍光体７が印刷されていない部分は、蛍光体８のみの発光色となり、蛍光体７が印刷されている部分は、蛍光体８との混光色となる。例えば蛍光体７と蛍光体８の発光色が補色であれば、重なった部分のみが白色となる。これによって情報を表示できるようになる。
【００１１】
また、例えば前面板の蛍光体７は複数回の厚膜印刷により、多色発光となるように構成することも可能である。
【実施例２】
【００１２】
図２に、本発明の他の実施例を示した。図１と同様に放電容器はソーダガラス製の前面板と背面板が封着ガラスで封着された密閉構造となっている。電極、蛍光体、誘電体膜が図１の実施例と同様に形成され、放電ガスが封入されている。本実施例では、電極がそれぞれ左右に２個に分割され、放電領域が左右に分かれている。さらに前面板側、背面側ともそれぞれの放電領域に対応して、異なる発光色を持つ蛍光体が塗布されている。同じ放電領域に対しては前面板側、背面側とも同じ蛍光体である。電極１１、１２に電圧を印加すると、左側の領域が放電して蛍光体１５が、電極１３、１４に電圧を印加すると、右側の領域が放電して蛍光体１６が発光する。従って点灯領域を左側、右側、両方といずれかを適宜選択することにより、異なる情報の表示が可能となる。
【００１３】
上記実施例では、いずれも電極は誘電体で覆われていたが、片方の分割された電極が誘電体に覆われていれば、他方は放電空間に露出していても良い。
【００１４】
また上記実施例の変形は容易である。例えば、背面板側の蛍光体を厚く塗布することにより、放電からの紫外光から変換された可視光は主として放電空間側、従って前面板の方向により多く放射される。このため、前面板の方向に出射する光と合わせて、前面板の輝度を高くし、片面のみに大きな光量を取り出すことができるようにできる。また、例えば容器は板ガラス状の前面板と背面板とし、側面を別の側面用ガラス板を用いて、これらを封着して構成してもよい。また、電極上の誘電体膜の上にさらにＭｇＯ膜を形成しても良い。封入物としてＨｇとＡｒガスであっても良い。
【図面の簡単な説明】
【００１５】
【図１】本発明による平板型蛍光ランプの一実施例である。
【図２】本発明による平板型蛍光ランプの他の実施例である。
【図３】平板型ランプの従来例である。
【符号の説明】
【００１６】
１、１０２：前面板
２、１０３：背面板
３、４、１１、１２、１３、１４：電極
５：誘電体膜
７、８、１５、１６、１０７：蛍光体
１０１：密閉容器
１０４、１０５：放電電極
１０６：誘電体層
１０８：放電空間。
【図１】
2005116418.tif 000003
【図２】
2005116418.tif 000004
【図３】
2005116418.tif 000005